(57)【特許請求の範囲】
【請求項１】
サッシ枠に面格子を連結固定する面格子の取付部材であって、前記取付部材は、略板状の長尺体からなる本体と、該本体の長尺方向に沿った一方側に連続して形成され、前記面格子を固定する面格子固定部と、前記本体から前記面格子固定部とは反対側に拡開して分岐した分岐部と、を備え、前記本体の面格子固定部の反対側と分岐部の自由端部側が、前記サッシ枠の辺に沿う方向に形成された一対の係合片間に位置し、該一対の係合片に係合して組み付けられ、前記本体及び前記分岐部は、長尺方向が前記サッシ枠よりも長く形成されており、前記分岐部又は前記本体には、ネジ孔が設けられ、該ネジ孔は、前記サッシ枠両端よりも外側になる位置に形成されることを特徴とすることを特徴とする面格子の取付部材。
【請求項２】
前記本体の面格子固定部の反対側と前記分岐部の自由端部側には、前記サッシ枠の係合片に係合可能な係合部が形成されたことを特徴とする請求項１記載の面格子の取付部材。
【請求項３】
前記分岐部又は前記本体には、ネジ孔が設けられ、該ネジ孔に螺着されたネジの先端が前記本体の前記分岐部側の面又は前記分岐部の前記本体側の面に圧接されることを特徴とする請求項１記載の面格子の取付部材。
【請求項４】
前記本体の前記分岐部側の面又は前記分岐部の本体側の面には、ネジ孔が設けられ、該ネジ孔に螺着されるネジの先端の当接位置に、前記分岐部又は前記本体と略平行な面を有する突片が形成されていることを特徴とする請求項１記載の面格子の取付部材。
【発明の詳細な説明】
【０００１】
【発明の属する技術分野】
本発明は面格子の取付部材に係り、特に、取付が容易で、取外す方向への衝撃に強い面格子の取付部材に関する。
【０００２】
【従来の技術】
従来より、住宅等の建物のアルミサッシ窓にアルミ製の面格子を取付ける方法として、図８、図９に示す方法が一般的に用いられている。
図８、図９の方法では、まず、図８のように、サッシ枠１０２の下枠に、ネジ１６１で、下部水切１１８を固定する。次いで、ネジ１０８で、下部水切１１８に、面格子取付金具１０１を二つ下部水切１１８に固定する。
【０００３】
次いで、図９のように、ネジ１５１で面格子取付金具１０１に面格子１０３の下枠を固定する。また、面格子１０３の上枠をネジ１６２でサッシ枠１０２に固定する。
【０００４】
しかし、このネジ１６１で下部水切１１８に固定する従来の面格子の取付方法では、面格子取付強度を維持するために、図１０のようにネジ１６１を建物の壁１０７にまで貫通させる必要があり、ネジ１６１のネジ孔を通って壁１０７に雨水などが建物内に入る可能性があった。
また、面格子１０３の下枠をサッシ枠１０２の下枠に固定するために、ネジ１６１、１０８、１５１という三種類のネジを用いて三度もネジ止めをする必要があり、面格子１０３の取付が面倒であるという問題点もあった。
【０００５】
【発明が解決しようとする課題】
本発明の目的は、上記問題点を解決することにあり、取付が容易で建物内へ水が入り難い面格子の取付部材を提供することにある。また、本発明の他の目的は、部品及び組立て工数が少なく、取外す方向への衝撃に強い面格子の取付部材を提供することにある。
【０００６】
【課題を解決するための手段】
上記課題は、請求項１に係る発明によれば、サッシ枠に面格子を連結固定する面格子の取付部材であって、前記取付部材は、略板状の長尺体からなる本体と、該本体の長尺方向に沿った一方側に連続して形成され、前記面格子を固定する面格子固定部と、前記本体から前記面格子固定部とは反対側に拡開して分岐した分岐部と、を備え、前記本体の面格子固定部の反対側と分岐部の自由端部側が、前記サッシ枠の辺に沿う方向に形成された一対の係合片間に位置し、該一対の係合片に係合して組み付けられ、前記本体及び前記分岐部は、長尺方向が前記サッシ枠よりも長く形成されており、前記分岐部又は前記本体には、ネジ孔が設けられ、該ネジ孔は、前記サッシ枠両端よりも外側になる位置に形成されること、により解決される。
【０００７】
このように、前記面格子を固定する面格子固定部と、前記本体から前記面格子固定部とは反対側に拡開して分岐した分岐部と、を備え、前記本体の面格子固定部の反対側と分岐部の自由端部側が、前記サッシ枠の辺に沿う方向に形成された一対の係合片間に位置し、該一対の係合片に係合して組み付けられるように構成されているため、ワンタッチで面格子の取付部材をサッシ枠に固定でき、面格子のサッシ枠への取付を極めて簡単に行うことが可能となる。面格子を固定する工程について、部品点数及び組立工数を減少させることが可能となる。
また、面格子の取付部材をネジで建物の壁に固定する必要がないため、ネジ孔から建物内に水が浸入することを防止できる。
【０００８】
そして、前記本体及び前記分岐部は、長尺方向が前記サッシ枠よりも長く形成されており、前記分岐部又は前記本体には、ネジ孔が設けられ、該ネジ孔は、前記サッシ枠両端よりも外側になる位置に形成されると好適である。このように構成しているので、ネジ孔に螺合されるネジが、サッシ枠の両外側で本体の面格子固定部の反対側と分岐部の自由端部側との間を押し広げるため、押し広げられた部分が、サッシ枠の一対の係合片の両端部とぶつかり合ってストッパーの機能を果たし、取付部材が左右に動くことを防止可能となる。その結果、面格子に左右方向の衝撃を受けても外れ難くなり、防犯性の高い面格子を提供することが可能となる。
【０００９】
このとき、前記本体の面格子固定部の反対側と前記分岐部の自由端部側には、前記サッシ枠の係合片に係合可能な係合部が形成されていると好適である。このように構成しているので、係合部を係合片に係合させ、安定して取付部材及び面格子をサッシ枠に固定することが可能となる。
【００１０】
また、前記分岐部又は前記本体には、ネジ孔が設けられ、該ネジ孔に螺着されたネジの先端が前記本体の前記分岐部側の面又は前記分岐部の前記本体側の面に圧接されると好適である。このように構成しているので、先端を本体の分岐部側の面又は分岐部の本体側の面に圧接させて、ネジを本体と分岐部との間で安定して保持することが可能となる。その結果、安定して取付部材及び面格子をサッシに固定することが可能となる。
【００１１】
また、前記本体の前記分岐部側の面又は前記分岐部の本体側の面には、ネジ孔が設けられ、該ネジ孔に螺着されるネジの先端の当接位置に、前記分岐部又は前記本体と略平行な面を有する突片が形成されていると好適である。このように構成しているので、ネジの先端と、本体の分岐部側の面又は分岐部の本体側の面との間の衝撃を緩衝させることが可能となり、衝撃がかかったときに、取付部材とサッシ枠とがずれることを防止可能となる。
【００１７】
【発明の実施の形態】
以下、本発明の一実施形態を図面に基づいて説明する。なお、以下に説明する部材，配置等は本発明を限定するものでなく、本発明の趣旨の範囲内で種々改変することができるものである。
本実施形態の面格子の取付部材１は、図１に示すように、サッシ枠２に、面格子３を取付けるために用いられる。
サッシ枠２は、建物壁７の窓用の開口に固定される窓枠である。
サッシ枠２は、図２に示すように、二つの縦枠２１と、二つの縦枠２１の上端に挟持された上枠２２と、二つの縦枠２１の下端に挟持された下枠２３と、を備えており、縦枠２１、上枠２２、下枠２３で、枠体を構成している。上枠２２と下枠２３とが、請求項の横枠を構成している。
【００１８】
下枠２３の建物外側の面には、取付部材１を取付けるための一対の係合片としてのサッシ枠第一係合片２４と、サッシ枠第二係合片２５とが形成されている。
サッシ枠第一係合片２４は、建物の外側に向かって下枠２３に対して略垂直に起立し、先端が下方に折曲されている。
サッシ枠第二係合片２５は、建物の外側に向かって下枠２３に対して略垂直に起立し、先端が上方に折曲されている。
サッシ枠第一係合片２４、サッシ枠第二係合片２５は、下枠２３の長手方向の全長に渡って連続して設けられている。
【００１９】
取付部材１は、アルミニウム製からなり、若干の可撓性を有する。図２、図４に示すように、本体１１と、本体１１の途中から分岐する分岐部１４と、本体１１と連続して形成される面格子固定部１７と、を主要構成要素とする。取付部材１は、金型成形により一体として成形されている。
【００２０】
本体１１は略板状体からなる。本体１１の建物側端部には、取付時に上を向くように折曲された係合部としての第一係合片１２が形成されている。この第一係合片１２は、サッシ枠第一係合片２４に係合可能に形成されている。
また、本体１１の裏面には、後述するネジ孔１５の真上に、取付部材１の全長に渡って突片１３が形成されている。この突片１３は、ネジ４１の先端の径よりも若干大きい幅を有し、本体１１の裏面に対して鋭角に、建物側へ向かって立設されている。また、突片１３は、後述する分岐部１４の水平部１４ｂに対して略平行に形成されている。
【００２１】
本体１１の裏面中間付近の位置には、本体１１から分岐するように、分岐部１４が形成されている。
分岐部１４は、略樋状に形成されており、スペーサ部１４ａと、水平部１４ｂと、サッシ枠当接部１４ｃと、からなる。
スペーサ部１４ａは、本体１１に接続され、取付時に略鉛直となるように形成されている。スペーサ部１４ａを設けることにより、本体１１と分岐部１４との間を安定して支持することが可能となる。
【００２２】
水平部１４ｂは、分岐部１４がスペーサ部１４ａから建物側に垂直に折曲されて形成された面である。水平部１４ｂには、長手方向に並ぶように、ネジ孔１５が三つ穿孔されている。
ネジ孔１５のうち中央のネジ孔は、水平部１４ｂの長手方向の中心に穿孔されている。ネジ孔１５のうち２つは、水平部１４ｂの長手方向の端部付近であって、取付時にサッシ枠２の下枠２３の外側になる位置に穿孔される。
【００２３】
これにより、後述するネジ４１ａを締めたときにネジ４１ａが、サッシ枠第一係合片２４、サッシ枠第二係合片２５の外側で第一係合片１２と第二係合片１６との間隔を押し広げるため、下枠２３の両外側で、可撓性を有する取付部材１の第一係合片１２と第二係合片１６との間隔が広くなって左右方向のストッパーの機能を果たし、取付部材１が左右に動くことを防止可能となる。
【００２４】
水平部１４ｂは、建物側端部で上側に垂直に折曲され、折曲された面がサッシ枠当接部１４ｃを構成している。
サッシ枠当接部１４ｃは、サッシ枠第二係合片２５と当接するように形成されている。これにより、取付部材１に建物側への力がかかったときに、サッシ枠当接部１４ｃで支えることが可能となる。
【００２５】
サッシ枠当接部１４ｃは、サッシ枠第二係合片２５の上端位置で、取付時に水平となるよう垂直に折曲され、折曲された面が係合部としての第二係合片１６を形成する。
第二係合片１６は、サッシ枠第二係合片２５の厚みよりも若干長く形成され、サッシ枠当接部１４ｃからサッシ枠第二係合片２５の厚み分隔てた位置に、サッシ枠第二係合片２５の先端を係合するための突起１６ａが、取付部材１の全長に渡って形成されている。
この突起１６ａは、第二係合片１６の先端に下向きに立設されている。
【００２６】
本体１１の建物逆側は、下向きに鈍角に折曲され、取付時に鉛直下方に伸びる鉛直段部１９を備えている。鉛直段部１９の下端部は、鈍角に建物外側に折曲され、面格子３を取付けるための面格子固定部１７に連続している。
【００２７】
面格子固定部１７は、取付時に略水平に伸びる略板状体からなり、鉛直段部１９を介して本体１１に連続している。
面格子固定部１７には、長手方向に並ぶように、ネジ孔１７ａが二つ穿孔されている。ネジ孔１７ａは、ネジ５１を螺合して、面格子３を取付部材１に固定するために用いられる。
【００２８】
面格子固定部１７の建物の逆側の端部付近は、下方に２段階に折曲されて水切部１８を構成している。
水切部１８は、雨水が建物壁７に伝わることを防いで、壁７の汚染を防止するよう、端部が下方を向くように折曲されている。
取付部材１長手方向の両端には、サイドキャップ４２が嵌着されている。サイドキャップ４２は、取付部材１の内部に水が入り込むのを防止するための部材であり、取付部材１側面全体を覆う形状の公知の水切用サイドキャップが用いられる。
【００２９】
面格子３は、図５に示す公知の面格子からなる。面格子３の下枠３３の底面には、取付部材１をネジ５１で取付けるためのネジ孔３３ａが設けられている。また、面格子３の上枠３２には、上枠３２をサッシ枠２の上枠２２に取付けるための取付金具５３が二つ固定されている。
【００３０】
次に、サッシ枠２と取付部材１と面格子３との連結について説明する。
サッシ枠２は、図１に示すように、公知の方法で建物の壁７に固定されている。取付部材１は、図４に示すように、第一係合片１２がサッシ枠第一係合片２４に係合され、第二係合片１６がサッシ枠第二係合片２５に係合されている。取付部材１のネジ孔１５には、ネジ４１が螺合され、このネジ４１の先端は、取付部材１の突片１３に当接している。このネジ４１と第一係合片１２、第二係合片１６により、取付部材１がサッシ枠２の下枠２３に固定されている。
【００３１】
取付部材１の面格子固定部１７上に、面格子３の下枠３３が載置されている。ネジ５１が、取付部材１のネジ孔１７ａ、下枠３３のネジ孔３３ａに螺合され、このネジ５１により、取付部材１の面格子固定部１７に、面格子３の下枠３３が固定されている。なお、取付部材１のネジ孔１７ａと下枠３３のネジ孔３３ａとの間には、ワッシャ５２が配置されている。
面格子３の上枠３２は、取付金具５３が、ネジ５４でサッシ２の上枠２２に固定されることにより、サッシ２の上枠２２に固定されている。
【００３２】
次いで、本実施形態の取付部材１を用いて、面格子３をサッシ枠２に取付ける手順について説明する。
まず、図３のように、取付部材１の第一係合片１２を、サッシ枠２の下枠２３のサッシ枠第一係合片２４に係合させる。次いで、取付部材１を、図３の矢印ＸＸ´方向に回転させ、取付部材１の第二係合片１６を、サッシ枠２の下枠２３のサッシ枠第二係合片２５に係合させる。
次に、取付部材１の端部近くのネジ孔１５に、下からネジ４１ａを差し込み、先端が突片１３に当接するまで、ネジ孔１５に螺合させる。二つのネジ４１ａを螺合させた後、中央のネジ４１ｂも、ネジ孔１５に螺合させる。
【００３３】
次いで、面格子３の上枠３２の取付金具５３を、サッシ枠２の上枠２２にネジ５４で固定する。面格子３の下枠３３を、ネジ５１で面格子固定部１７に固定する。その後、取付部材１の両端に、サイドキャップ４２を嵌着する。
以上で、面格子３のサッシ枠２への取付を完了する。
【００３４】
なお、本実施形態では、面格子３の下枠３３とサッシ枠２の下枠２３との連結のみを、本発明の取付部材１で行っているが、面格子３の上枠３２とサッシ枠２の上枠２２との連結のみを本発明の取付部材で行ってもよい。また、面格子３の下枠３３とサッシ枠２の下枠２３との連結、面格子３の上枠３２とサッシ枠２の上枠２２との連結の双方を、本発明の取付部材で行ってもよい。
【００３５】
面格子３の上枠３２とサッシ枠２の上枠２２との連結を本発明の取付部材で行う場合について、図６、図７に基づき説明する。
サッシ枠２の上枠２２の建物外側の面には、図６に示すように、取付部材６を取付けるための一対の係合片としてのサッシ枠第一係合片２６と、サッシ枠第二係合片２７とが形成されている。
サッシ枠第一係合片２６は、建物の外側に向かって上枠２２に対して略垂直に起立し、先端が上方に折曲されている。
サッシ枠第二係合片２７は、建物の外側に向かって上枠２２に対して略垂直に起立し、先端が下方に折曲されている。
サッシ枠第一係合片２６、サッシ枠第二係合片２７は、上枠２２の長手方向の全長に渡って連続して設けられている。
【００３６】
取付部材６は、アルミニウム製からなり、若干の可撓性を有する。図６に示すように、本体６１と、本体６１の途中から分岐する分岐部６４と、本体６１と連続して形成される面格子固定部６７と、を主要構成要素とする。取付部材６は、金型成形により一体として成形されている。
【００３７】
本体６１は略板状体からなる。本体６１の建物側端部には、取付時に下を向くように折曲された係合部としての第一係合片６２が形成されている。この第一係合片６２は、サッシ枠第一係合片２６に係合可能に形成されている。
また、本体６１の上面には、後述するネジ孔６５の真下に、取付部材６の全長に渡って突片６３が形成されている。この突片６３は、ネジ４６の先端の径よりも若干大きい幅を有し、本体６１に対して鋭角に、建物側へ向かって立設されている。また、突片６３は、後述する分岐部６４に対して略平行に形成されている。
【００３８】
本体６１の上面には、本体６１から分岐するように、分岐部６４が形成されている。
分岐部６４は、断面略Ｌ字型に形成されており、スペーサ部６４ａと、斜面部６４ｂと、からなる。
スペーサ部６４ａは、本体６１に連続し、取付時に略鉛直となるように形成されている。スペーサ部６４ａを設けることにより、本体６１と分岐部６４との間を安定して支持することが可能となる。
【００３９】
斜面部６４ｂは、分岐部６４がスペーサ部６４ａから建物側に折曲されて形成された面である。斜面部６４ｂには、長手方向に並ぶように、ネジ孔６５が三つ穿孔されている。
ネジ孔６５のうち中央のネジ孔は、斜面部６４ｂの長手方向の中心に穿孔されている。ネジ孔６５のうち２つは、斜面部６４ｂの長手方向の端部付近であって、取付時にサッシ枠２の上枠２２の外側になる位置に穿孔される。
【００４０】
斜面部６４ｂは、建物側端部で上側に垂直に折曲され、折曲された部分が係合部としての第二係合片６６を形成する。
【００４１】
本体６１の建物逆側は、下向きに略直角に折曲され、取付時に鉛直下方に伸びる面格子固定部６７を備えている。
面格子固定部６７には、長手方向に並ぶように、不図示のネジ孔が二つ穿孔されている。この不図示のネジ孔は、ネジ５６を螺合して、面格子３を取付部材６に固定するために用いられる。
また、取付部材６長手方向の両端には、不図示のサイドキャップが嵌着される。
【００４２】
面格子３をサッシ枠２に取付けるときには、まず、既に説明した手順で、取付部材１をサッシ枠２の下枠２３に取付ける。そして、図７のように、ネジ５６で面格子３の上枠３２を面格子固定部６７に固定する。
次いで、取付部材６の第二係合片６６を、サッシ枠２の上枠２２のサッシ枠第二係合片２７に係合させる。次いで、取付部材６を、図７の矢印ＹＹ´方向に回転させ、取付部材６の第一係合片６２を、サッシ枠２の上枠２２のサッシ枠第一係合片２６に係合させる。
次に、取付部材６の端部近くのネジ孔６５に、上からネジ４６を差し込み、先端が突片６３に当接するまで、ネジ孔６５に螺合させる。両端の二つのネジ４６を螺合させた後、中央のネジ４６も、ネジ孔６５に螺合させる。
その後、取付部材６の両端に、不図示のサイドキャップを嵌着する。
【００４３】
【発明の効果】
以上のように本発明によれば、前記面格子を固定する面格子固定部と、前記本体から前記面格子固定部とは反対側に拡開して分岐した分岐部と、を備え、前記本体の面格子固定部の反対側と分岐部の自由端部側が、前記サッシ枠の辺に沿う方向に形成された一対の係合片間に位置し、該一対の係合片に係合して組み付けられるように構成されているため、ワンタッチで面格子の取付部材をサッシ枠に固定でき、面格子のサッシ枠への取付を極めて簡単に行うことが可能となる。面格子を固定する工程について、部品点数及び組立工数を減少させることが可能となる。
また、面格子の取付部材をネジで建物の壁に固定する必要がないため、ネジ孔から建物内に水が浸入することを防止できる。
【００４４】
さらに、前記本体及び前記分岐部は、長尺方向が前記サッシ枠よりも長く形成されており、前記分岐部又は前記本体には、ネジ孔が設けられ、該ネジ孔は、前記サッシ枠両端よりも外側になる位置に形成されているため、ネジ孔に螺合されるネジが、サッシ枠の両外側で本体の面格子固定部の反対側と分岐部の自由端部側との間を押し広げるため、押し広げられた部分が、サッシ枠の一対の係合片の両端部とぶつかり合ってストッパーの機能を果たし、取付部材が左右に動くことを防止可能となる。その結果、面格子に左右方向の衝撃を受けても外れ難くなり、防犯性の高い面格子を提供することが可能となる。
【図面の簡単な説明】
【図１】本発明の一実施形態に係るサッシ、取付部材、面格子を取付けた場合の断面を示す説明図である。
【図２】本発明の一実施形態に係るサッシと取付部材とを示す説明図である。
【図３】本発明の一実施形態に係る取付部材をサッシに取付ける手順を示す説明図である。
【図４】本発明の一実施形態に係る取付部材をサッシに取付ける手順を示す説明図である。
【図５】本発明の一実施形態に係る取付部材により、面格子をサッシに取付ける場合を示す説明図である。
【図６】本発明の他の実施形態に係る取付部材の断面を示す説明図である。
【図７】本発明の他の実施形態に係る取付部材をサッシに取付ける手順を示す説明図である。
【図８】従来の面格子の取付手順を示す説明図である。
【図９】従来の面格子の取付手順を示す説明図である。
【図１０】従来の面格子とサッシとを取付けた状態を示す説明図である。
【符号の説明】
１、６  取付部材
２、１０２  サッシ枠
３、１０３  面格子
７、１０７  壁
１１、６１  本体
１２、６２  第一係合片
１３、６３  突片
１４、６４  分岐部
１４ａ、６４ａ  スペーサ部
１４ｂ  水平部
１４ｃ  サッシ枠当接部
１６、６６  第二係合片
１６ａ  突起
１７、６７  面格子固定部
１５、１７ａ、３３ａ、６５  ネジ孔
１８  水切部
１９  鉛直段部
２１  縦枠
２２、３２  上枠
２３、３３  下枠
２４、２６  サッシ枠第一係合片
２５、２７  サッシ枠第二係合片
４１、４１ａ、４１ｂ、４６、５１、５６、１０８、１５１、１６１、１６２ネジ
４２  サイドキャップ
５２  ワッシャ
５３、１０１  取付金具
６４ｂ  斜面部
１１８  下部水切
【図１】
0004132972.tif 000002
【図２】
0004132972.tif 000003
【図３】
0004132972.tif 000004
【図４】
0004132972.tif 000005
【図５】
0004132972.tif 000006
【図６】
0004132972.tif 000007
【図７】
0004132972.tif 000008
【図８】
0004132972.tif 000009
【図９】
0004132972.tif 000010
【図１０】
0004132972.tif 000011